【手続補正書】
【提出日】平成25年11月18日(2013.11.18)
【手続補正１】
【補正対象書類名】特許請求の範囲
【補正対象項目名】全文
【補正方法】変更
【補正の内容】
【特許請求の範囲】
【請求項１】
回転継手であって、
当該回転継手は、ハウジングを有し、該ハウジングは、媒質チャンネル開口部と流体的に連絡している内腔を有し、かつ、該ハウジングは、該内腔の周囲に配置されかつ前記媒質チャンネル開口部から流体的に隔離された制御チャンバーを有し、
当該回転継手は、回転しないシール部材を有し、該回転しないシール部材は、該ハウジング内の該内腔の内部に摺動可能に配置され、かつ、該回転しないシール部材は、該内腔を通過して前記媒質チャンネル開口部へと流体的に開口している媒質チャンネルを有し、
当該回転継手は、第一の摺動シールを有し、該第一の摺動シールは、前記回転しないシール部材の周囲に配置されかつ前記制御チャンバーを外気に対して密封するように配置されており、かつ、
当該回転継手は、２つのさらに追加された摺動シールを有し、該２つのさらに追加された摺動シールは、前記回転しないシール部材の周囲に互いに隣り合って配置されており、該２つのさらに追加されたシールは、前記制御チャンバーを前記制御チャンネルに対して密封するように、該制御チャンバーと該制御チャンネル開口部との間に対になって配置されており、
圧力下にある流体が前記制御チャンバー内に存在するときに前記回転しないシール部材が前記ハウジングに対して伸びるように、該回転しないシール部材が配置されかつ構成されており、それによって、回転するシール部材が回転している間に、該回転しないシール部材が該回転するシール部材に係合して機械的な端面シールを形成するようになっている、
前記回転継手。
【請求項２】
前記回転しないシール部材が、第一のバランス比を有しており、圧力下にある流体が前記媒質チャンネル開口部に存在するときに、該回転しないシール部材が前記ハウジングから伸びるのを促すように、前記第一のバランス比が決められている、請求項１記載の回転継手。
【請求項３】
前記回転しないシール部材が、第二のバランス比を有しており、流体の圧力が前記制御チャンバーに存在し、かつ、周囲の圧力または真空のうちの少なくとも一つが前記媒質チャンネルに存在するときに、該回転しないシール部材が該ハウジングから伸びるのを促すように、前記第二のバランス比が決められている、請求項１記載の回転継手。
【請求項４】
制御チャンバー入口と制御チャンバー環状部とをさらに有し、
該制御チャンバー入口と該制御チャンバー環状部は、回転しない機械部品に前記ハウジングが連結されているときに、前記制御チャンバー入口と前記制御チャンネルとを流体的に相互に連結する、請求項１記載の回転継手。
【請求項５】
開放バネをさらに有し、該開放バネは、前記回転しないシール部材が前記ハウジング内に引き込まれるのを促す開く力を提供するように配置されている、請求項１記載の回転継手。
【請求項６】
回転しない機械部品をさらに有し、該回転しない機械部品には受入れ座ぐり状穴が形成されており、その穴の中へと前記ハウジングが配置されている、請求項１記載の回転継手。
【請求項７】
第一の流体バルブ装置をさらに有し、
該第一の流体バルブ装置は、前記制御チャンバーを、加圧された非圧縮性の媒質の供給源、真空シンク、および、排出口のうちの、少なくとも一つに選択的に流体的に連結させるように作動可能である、請求項１記載の回転継手。
【請求項８】
第二の流体バルブをさらに有し、
該第二の流体バルブは、前記媒質チャンネルを、加圧された圧縮性の媒質の供給源、加圧された非圧縮性の媒質の供給源、前記制御チャンバー、前記真空シンク、および、前記排出口のうちの、少なくとも一つに選択的に流体的に連結させるように作動可能である、請求項７記載の回転継手。
【請求項９】
回転するシール部材をさらに有し、該回転するシール部材は、前記回転しないシール部材が前記ハウジングから伸びているときに、該回転しないシール部材に係合するように、前記回転する機械部品上に配置されている、請求項１記載の回転継手。
【請求項１０】
回転しないシールリングをさらに有し、該回転しないシールリングは、前記回転しないシール部材の端部に配置されており、かつ、
回転するシールリングをさらに有し、該回転するシールリングは、前記回転しないシールリングと向かい合う関係にて、該回転するシール部材上に配置されており、
前記回転するシールリングと前記回転しないシールリングとの係合が、前記媒質チャンネルに沿った機械的な端面シールを提供し、該媒質チャンネルが、前記媒質チャンネル開口部と流体的に連絡しかつ前記ハウジングと前記回転する機械部品の各部分を通過して伸びるようになっている、請求項９記載の回転継手。
【請求項１１】
回転する機械部品および回転しない機械部品の各部分を通過して定められた媒質チャンネルを、選択的に流体的に相互連結するためのシステムであって、
当該システムは、受入れ座ぐり状穴を有し、該受入れ座ぐり状穴は、前記回転しない機械部品内に定められており、当該システムは、該受入れ座ぐり状穴と流体的に連絡した媒質チャンネル開口部を有しかつ制御チャンネルを有し、
当該システムは、前記受入れ座ぐり状穴内に配置されたハウジングを有し、該ハウジングは、前記受入れ座ぐり状穴と流体的に連絡した内腔を有し、かつ、該制御チャンネルと流体的に連絡した制御チャンバーを有し、
当該システムは、回転しないシール部材を有し、該回転しないシール部材は、前記ハウジング内にある前記内腔の内部に摺動可能にかつ密封するように配置され、かつ、該回転しないシール部材は、該受入れ座ぐり状穴を通過して前記媒質チャンネル開口部へと流体的に開口している媒質チャンネルを有しており、
当該システムは、前記回転しないシール部材の周囲に配置された第一の摺動シールを有し、該第一の摺動シールは、前記制御チャンバーを外気に対し封止するように配置されており、
当該システムは、該回転しないシール部材の周囲を取り巻く２つのさらに追加された摺動シールを有し、該２つのさらに追加された摺動シールは、該制御チャンバーの間に、互いに隣接して配置され、該制御チャンバーを該媒質チャンネルに対して密封するように対になって配置されており、かつ、
当該システムは、第一の流体バルブ装置を有し、該第一の流体バルブ装置は、前記制御チャンバーを、加圧された非圧縮性の媒質の供給源、真空シンク、および、排出口のうちの、少なくとも一つと選択的に流体的に連結させるように作動可能であり、それによって、圧力下にある流体が該制御チャンバー内に存在するときに、前記回転しないシール部材が該ハウジングに対して伸びる配置および構成となっており、それによって、回転するシール部材が回転している間に、該回転しないシール部材が該回転するシール部材に係合して機械的な端面シールを形成するようになっている、
前記システム。
【請求項１２】
第二の流体バルブをさらに有し、
該第二の流体バルブは、前記媒質チャンネルを、加圧された圧縮性の媒質の供給源、加圧された非圧縮性の媒質の供給源、前記制御チャンバー、前記真空シンク、および、前記排出口のうちの、少なくとも一つと選択的に流体的に連結させるように作動可能である、請求項１１記載のシステム。
【請求項１３】
開放バネをさらに有し、該開放バネは、前記回転しないシール部材を該ハウジングに対して引き込む方向に促す開く力を提供するように配置されている、請求項１１記載のシステム。
【請求項１４】
回転するシール部材をさらに有し、該回転するシール部材は、前記回転しないシール部材が前記ハウジングに対して伸びているときに、該回転しないシール部材に係合するように、該回転する機械部品上に配置されている、請求項１１記載のシステム。
【請求項１５】
回転しないシールリングをさらに有し、該回転しないシールリングは、前記回転しないシール部材の端部に配置されており、かつ、
回転するシールリングをさらに有し、該回転するシールリングは、前記回転しないシールリングと向かい合う関係にて、該回転するシール部材上に配置されており、
前記回転するシールリングと前記回転しないシールリングとの係合が、前記媒質チャンネルに沿った機械的な端面シールを提供する、請求項１４記載のシステム。
【請求項１６】
回転する機械部品と回転しない機械部品との間に延びる媒質チャンネルに沿って機械的な端面シールを提供するように構成された回転継手を、操作するための方法であって、
当該方法は、制御チャンバーに対して流体圧力を加えることによって該機械的な端面シールを選択的に係合させることを有し、該制御チャンバーは、前記媒質チャンネルから流体的に隔離され、かつ、回転しないシール部材と該回転しない機械部品との間に定められており、
前記回転しないシール部材は、ハウジング内の内腔の内部に摺動可能に配置され、かつ、該回転しないシール部材は媒質チャンネルの一部を含んでおり、該媒質チャンネルは前記内腔を通過して媒質チャンネル開口部へと流体的に開口しており、かつ、
前記回転しないシール部材が前記ハウジングに対して伸びるように、前記の加えられた流体圧力が該回転しないシール部材を促し、それによって、回転するシール部材が回転している間に、該回転しないシール部材が該回転するシール部材に係合して機械的な端面シールを形成するようになっている、
前記方法。
【請求項１７】
該媒質チャンネルからの流体の排出の間に、前記機械的な端面シールを係合したポジションに維持することをさらに有する、請求項１６記載の方法。
【請求項１８】
前記回転しないシール部材に第一の正味の液圧力を付与することをさらに有し、該第一の正味の液圧力を付与することが、前記回転しないシール部材に構造的に定められた第一のバランス比で作用する、前記制御チャンバー内の流体圧力の結果としてのものである、請求項１６記載の方法。
【請求項１９】
前記回転しないシール部材に第二の正味の液圧力を付与することをさらに有し、該第二の正味の液圧力を付与することが、前記回転しないシール部材に定められた第二のバランス比で作用する、前記媒質チャンネル内の流体圧力の結果としてのものである、請求項１８記載の方法。